(57)【要約】      （修正有）【課題】光学機器またはビデオ撮影機器用の支持ヘッドを提供する。【解決手段】機器用の支持体に固定する固定手段が設けられ、第一の回転軸周りに支持体に対する回転が可能な第一の本体と、第一の回転軸に対して垂直な第二の回転軸Ｘ周りに第一の本体に対する回転が可能な、第一の本体に接続された第二の本体と、を備え、第一の本体と第二の本体は、第一の回転軸の回転に関して互いに係合され、第二の本体には、第二の本体に機器用の支持プレート５５を結合するスライダ５が設けられ、第一の本体の支持体に対する回転の阻止や阻止解除を行う制御ノブ３５が、第一の本体のベース１１の外表面から外方に突出し、第一の回転軸に対して垂直かつ第二の回転軸の投影に対して傾斜した回転軸Ｗ’周りにベース上で回転可能であり、回転の防止や許可を行うために作動され得る阻止ノブ６１が、阻止軸に沿って第二の本体からベースの方へ延出し、第二の回転軸は、第一の回転軸から、５ｍｍ以上の最小距離で離される。【選択図】図１
0003215725.tif 000002
【実用新案登録請求の範囲】
【請求項１】
光学機器またはビデオ撮影機器用の支持ヘッド（１０）であって、
前記機器用の支持体（１００）に固定する固定手段（３）が設けられ、第一の回転軸（Ｚ）周りに前記機器の支持体（１００）に対する回転が可能な第一の本体（１）と、
前記第一の回転軸（Ｚ）に対して垂直な第二の回転軸（Ｘ）周りに前記機器の前記第一の本体（１）に対する回転が可能な、前記第一の本体（１）に接続された第二の本体（２）と、を備え、
前記第一の本体（１）と前記第二の本体（２）は、前記第一の回転軸（Ｚ）に関して一体的な回転のために互いに固定され、
前記第二の本体（２）には、前記第二の本体（２）に前記機器用の支持プレート（５５）を結合するスライダ（５）が設けられ、
前記第一の本体（１）の前記支持体（１００）に対する回転の阻止や阻止解除を行う制御ノブ（３５）が、前記第一の本体（１）のベース（１１）の外表面（１１’）から外方に突出し、前記第一の回転軸（Ｚ）に対して垂直かつ前記第二の回転軸（Ｘ）の投影に対して傾斜した回転軸（Ｗ’）周りに前記ベース（１１）上で回転可能であり、
前記第二の回転軸（Ｘ）周りに前記第二の本体（２）の前記第一の本体（１）に対する回転の防止や許可を行うために作動され得る阻止ノブ（６１）が、前記第一の回転軸（Ｚ）に対して、前記第二の回転軸（Ｘ）に対して、および前記第一および第二の回転軸（Ｚ、Ｘ）の両方に対して垂直な第三の軸に対しても斜めの阻止軸（Ｗ）に沿って前記第二の本体（１２）から前記ベース（１１）の方へ延出し、
前記第二の回転軸（Ｘ）が、前記第一の回転軸（Ｚ）から、５ｍｍ以上、好ましくは５〜３０ｍｍの範囲内の最小距離（Ｄ）で離される支持ヘッド（１０）。
【請求項２】
前記阻止軸（Ｗ）は、前記第二の回転軸（Ｘ）に対して２０°〜５０°の間の角度（δ）で傾き、前記角度（δ）は、好ましくは３０°〜４５°の間である、請求項１に記載のヘッド。
【請求項３】
前記阻止軸（Ｗ）は、前記第一の回転軸（Ｚ）に対して２０°〜５０°の間の角度（α）で傾き、前記角度（α）は、好ましくは３０°〜４５°の間である、請求項１に記載のヘッド。
【請求項４】
前記制御ノブ（３５）は、前記回転軸（Ｗ’）が前記第二の回転軸（Ｘ）の投影に対して４５°〜７０°の間の角度（β）で傾くように前記ベース（１１）に配置される、請求項１〜３の何れか１項に記載のヘッド。
【請求項５】
前記スライダ（５）は、前記プレート（５５）用の結合座部（５４）を画定するように成形され、前記結合座部は、前記第三の軸（Ｙ）に沿って、第一の前端（５４Ａ）と、前記第一の前端（５４Ａ）とは長手方向の反対側の第二の後端（５４Ｂ）の間に延在する、請求項１〜４の何れか１項に記載のヘッド。
【請求項６】
前記スライダ（５）には、前記結合座部（５４）の開閉を行うための作動軸（Ｘ’）周りに回転可能な固定ノブ（５１）と、前記固定ノブ（５１）の前記作動軸（Ｘ’）に対して実質的に平行な軸（Ｘ’’）に沿って延在する結合ねじ（２６）と、が設けられ、
前記固定ノブは、結合座部（５４）に対する前記ヘッド（１０）の制御棒（２５）のロックやロック解除を行うように作動可能であり、前記結合ねじ（２６）と前記固定ノブ（５１）は互いに、前記第二の回転軸（Ｘ）と前記第三の軸（Ｙ）の両方に対して前記スライダの反対側に設けられる、請求項５に記載のヘッド。
【請求項７】
前記第一の回転軸（Ｚ）は、前記第二の回転軸（Ｘ）から離され、前記第二の回転軸（Ｘ）よりも前記第二の後端（５４Ｂ）に近いように設定される、請求項５または６に記載のヘッド。
【請求項８】
前記第一の回転軸（Ｚ）および／または前記第二の回転軸（Ｘ）周りに前記ヘッド（１００）をロックするために前記第二の本体（２）に前記ヘッド（１００）の制御要素（２５）を接続する接続要素（２３、２４）をさらに備え、
前記第一の回転軸（Ｚ）は、前記第二の回転軸（Ｘ）と前記接続要素（２３、２４）の間に配置される、請求項１〜７の何れか１項に記載のヘッド。
【請求項９】
ビデオ撮影機器用の支持三脚（１００）であって、
クロスブレース（ｃｒｏｓｓ−ｂｒａｃｅ）と、ビデオ撮影機器用の結合要素（２００）を設けた柱（１０２）と、前記三脚（１００）の開閉を行うためにヒンジ動作端の一方で前記クロスブレースに対してヒンジ結合された複数の脚（１０１）と、を備え、
各脚（１０１）は、前記柱（１０２）と略平行に配置されて前記柱が前記脚（１０１）の間に配置される閉じた形態（Ｎ’）と、前記脚（１０１）が前記柱（１０２）に対して傾いた少なくとも一つの動作形態と、の間を前記ヒンジ動作端周りに回転可能であり、
前記三脚は、ビデオ撮影機器用の支持ヘッドをさらに備え、前記支持ヘッドは、前記三脚が前記閉じた形態（Ｎ’）にあるとき、前記支持ヘッドが前記脚（１０１）の内側に収納され、前記脚（１０１）の平面図の寸法から突出しないように成形された支持三脚。
【請求項１０】
前記ヘッド（１０１）は、前記柱（１０２）と実質的に平行に配置されたビデオ撮影機器用のスライダ（５）と、前記三脚の２つの脚（１０１）の間に配置される２つの別個の回転軸（Ｘ、Ｚ）に対する前記ヘッドの回転の許可や防止を行うための２つの制御要素（３５、６１）と、を備える、請求項９に記載の三脚。
【請求項１１】
前記ヘッド（１０）は、前記支持ヘッド（１０）に結合され、前記脚（１０１）の内側の前記柱（１０２）と平行に配置される制御棒（２５）をさらに備える、請求項１０に記載の三脚。
【請求項１２】
前記クロスブレースと前記支持ヘッド（１０）の間に配置されたレベリングモジュール（８０）をさらに備える、請求項９〜１１の何れか１項に記載の三脚。
【請求項１３】
請求項１〜８の何れか１項に記載の支持ヘッドを備える、請求項９〜１２の何れか１項に記載の三脚。
【考案の詳細な説明】
【技術分野】
【０００１】
本考案は、主請求項の前提部に記述された特徴を有するビデオ撮影機器用の支持ヘッド（雲台、support head）に関する。
【０００２】
また、本考案は、ビデオ撮影機器用の支持ヘッドを設けた三脚に関する。
【背景技術】
【０００３】
本考案は、特に、２つの互いに垂直な軸周りに回転するように光学機器またはビデオ撮影機器を動かすことができ、ビデオを撮影するための機器を支持することに特に適した支持ヘッドを対象とする。
【０００４】
この技術分野において、パン軸、チルト軸、さらにはレベル軸周りにビデオ撮影機器を回転させることを可能にする支持ヘッドが知られている。
【０００５】
この支持ヘッドへのビデオ撮影機器の標準的な取り付け形態では、パン軸（ＰＡＮ）は、典型的には当該機器を同一の水平面内に維持しながら回転させるための垂直軸であり（フレーミングを水平方向に調整するために使用され、例えばパノラマ撮影用に使用され）、チルト軸（ＴＩＬＴ）は、当該機器をその光軸を通る垂直平面内に維持しながら回転させるための水平軸であり（フレーミングを垂直方向に調整するために使用され）、レベル軸（ＬＥＶＥＬ）は、当該機器をその光軸に垂直な垂直平面内に維持しながら回転させるための水平軸である（当該機器の水平位置から、格納された垂直位置すなわち縦長位置へ変えるために使用される）。
【０００６】
特に、ビデオを撮影する機器を支持するためのヘッドにおいて、支持ヘッドは、２つの相互に直交する回転軸、すなわちパン軸とチルト軸周りに当該機器を回転させることを可能にするように構成されている。
【０００７】
この目的のために、支持ヘッドには、パン軸とチルト軸に対して支持ヘッドに結合された機器を方向付けするために、パン軸とチルト軸周りに夫々回転可能な第一の本体と第二の本体が設けられている。
【０００８】
支持ヘッドには、さらに、任意の所望の機器が固定され得る、プレート用の結合要素が設けられている。この結合要素は、２つの対向壁によって閉じられた座部を画定するスライダと、この座部の狭小化や拡幅を行うように作動可能な結合ノブと、を備えている。
【０００９】
このスライダは、前記機器を方向付けするために当該ヘッドの前記２つの本体の内の一方とともに変位されるように、その一方の本体と一体化している。
【００１０】
スライダの本体は、さらに、両軸に対してヘッドに結合された機器を方向付けすることができるように、そのヘッドの他方の本体周りの回転に同伴するように形成されている。
【００１１】
支持ヘッドには、さらに、任意の所望の支持体（support）、例えば三脚にこのヘッドを固定するための固定要素が設けられている。
【００１２】
支持ヘッドには、そのヘッドの第一の本体および第二の本体の回転軸周りの夫々の回転の防止や許容を行うために作動され得る阻止機構が設けられている。
【００１３】
各阻止機構には、関連する阻止ノブが設けられ、この阻止ノブは、関連する本体に対してユーザが接触可能な位置に固定され、関連する阻止機構を作動するためにユーザによって回転され得る。
【００１４】
これらのノブは、ユーザが接触しやすくかつユーザにとって作動が単純であるべきであると同時に、機器の配置時および撮影時にできる限り互いに邪魔になるべきではない。
【００１５】
この既知のヘッドの欠点は、使用時と輸送時の両方で大きな空間を取ることである。
【００１６】
阻止ノブおよび結合ノブは、それらのノブが動きを阻止する軸に対して垂直な方向にヘッドの本体から突出し、通常はヘッドの本体の空間およびこのヘッドに結合された機器の空間に対してはみ出している。
【００１７】
さらに、ユーザによる単純かつ効果的な作動を可能にするために、前記ノブは、過度に減少した寸法とすることはできない。これにより、使用時および特に輸送時にヘッドが占める空間が増大する。
【００１８】
実際、支持ヘッドの現在の形状のため、この種のヘッドが設けられた支持体をコンパクトな輸送形態にする可能性が実際に妨げられている。
【００１９】
この既知のヘッドでは、撮影の最後に、三脚に固定されたヘッドを容易に輸送するのに便利なように十分にコンパクトかつエルゴノミックな輸送形態にするように、ヘッドを支える支持体を折り畳むことができない。
【００２０】
したがって、支持体からヘッドを分離し、続けてこの支持体をコンパクトな輸送形態に折り畳んでから、この支持体とヘッドとを別々に輸送する必要がある。
【００２１】
既知のヘッドでは、同一出願人が所有するＷＯ２０１４／０９０５３４に記載の折り畳み傘式の三脚（foldable umbrella tripod）を支持体として使用する場合にも、この一連の作業を実行する必要がある。実際、既知のヘッドでは、そのヘッドの形状およびそれによって占有される空間によって輸送形態が得られなくなるため、前記支持体を輸送形態に折り畳むこと、または任意の既知の支持ヘッドを当該三脚に固定したままスパイダに向かって脚を回転することはできない。
【００２２】
これにより、上述したように、支持体に対するヘッドの取り付けおよび取り外しが毎回必要であるため、撮影の最後に支持体を取り外す作業および新たな使用のために支持体を組み立てる作業が複雑になり、時間が掛かり、面倒になっている。
【００２３】
さらに、ヘッドまたはそのヘッドに結合された機器がそれらの作業時に損傷するリスクが大きくなる。
【００２４】
上記の欠点は、特にビデオ撮影装置用に設計されたヘッドの場合、より一層明白である。
【００２５】
プロのビデオ撮影のレコーディングの場合には、場面を追うためにビデオカメラを動かすことが要求される。
【考案の概要】
【考案が解決しようとする課題】
【００２６】
本考案が基づいている問題は、引用した先行技術に関して上述の制限事項を克服するように構造的かつ機能的に設計された、ビデオ撮影機器用の支持ヘッドを実現することである。
【課題を解決するための手段】
【００２７】
この問題に関して、本考案の目的は、コンパクトで、単純かつ経済的な構成の支持ヘッドを実現することである。
【００２８】
他の目的は、支持三脚、特に折り畳み傘式の三脚から分離することなく一体で輸送され得る支持ヘッドを提供することである。
【００２９】
本考案のさらなる目的は、チルト軸周りの増大された広い角度範囲にわたってヘッドに結合された機器を回転することを可能にするように形成されたヘッドを提供することである。
【考案の効果】
【００３０】
後述の請求項に従って実現される支持ヘッドのために、本考案によって上記問題が解決され、上記目的が達成される。
【図面の簡単な説明】
【００３１】
本考案の特徴および利点は、添付の図面を参照して一例としてかつ非制限的に説明される本考案の好適な実施の形態の詳細な説明からより明確に明らかになる。
【図１】本考案に従って実現されるビデオ撮影機器用の支持ヘッドの斜視図である。
【図２】図１のヘッドの模式的な背面図である。
【図３】図２のＩＩＩ−ＩＩＩ平面に沿って切断された図２のヘッドの断面図である。
【図４】図２のＩＶ−ＩＶ平面に沿って切断された図２のヘッドの断面図である。
【図５】コンパクトな輸送形態の本考案に係るヘッドが設けられたビデオ撮影機器用の支持三脚の平面図である。
【図６】分かり易くするために幾つかの細部を除いた図５の支持体の側面図である。
【図７】図１のヘッドの下面図である。
【考案を実施するための形態】
【００３２】
添付の図面を参照すると、本考案に従って実現される光学機器またはビデオ撮影機器用の支持ヘッド１０が示されている。
【００３３】
ヘッド１０は、特にビデオを撮影するための機器を支持するためのものであり、この機器は、当分野で既知の種類のものであるため、添付の図面には示されていない。
【００３４】
ヘッド１０には、ビデオ撮影機器用の支持体に固定されるように固定手段３が設けられ、固定手段３は、地面に、または所望の支持面に対してしっかりとした支持を行う機能を有している。
【００３５】
好ましくは、この支持体は、図５に示すような三脚１００であり、スパイダ（図示せず）と、内部が中空でこの三脚１００のスパイダに挿入され得る柱１０２（図６に示す）と、関連するヒンジの動作端でスパイダに対してヒンジ結合され、このスパイダに対して方向付けされるように回転可能な、有利には伸縮自在である三つの支持脚１０１と、を備えてもよい。
【００３６】
柱１０２には、支持ヘッド１０を三脚１００に結合するための結合要素２００が設けられている。
【００３７】
有利には、三脚１００には、図６に示すように、ヘッド１０と柱１０２の間に介在し、水平面に対してスライダ５を水平にすることを目的とするレベリングモジュール８０が設けられてもよい。
【００３８】
好適な形態では、この三脚は、傘のように閉じることができ、すなわち、以下により明確に説明するように、この三脚が図５および６に示すコンパクトな輸送形態Ｎ’のときに三脚の脚の間にヘッド１０が収容され得るように、柱１０２が存在する場合は脚１０１を柱１０２に横付けするように脚１０１をスパイダに向かって折り畳むことができ、輸送時に占有する空間を減少する三脚、例えば、ＷＯ２０１４／０９０５３４に記載の三脚である。
【００３９】
しかしながら、本考案に係るヘッド１０は、当技術で既知の任意のその他の支持体、好ましくは、いずれの場合も使用時および輸送時に占有される空間を減少することを可能にする三脚タイプの支持体との使用に適している。
【００４０】
支持ヘッド１０は、ビデオ撮影機器の少なくとも２つの相互に直交する方向付け軸、すなわち、パン軸とチルト軸周りに三脚１００に対して、この三脚に結合されたビデオ撮影機器の方向付けを可能にすることを意図している。
【００４１】
簡潔にするために、以下では水平形態Ｍとする図１〜４および図７に示すような支持ヘッド１０へのビデオ撮影機器の標準的な取り付け形態では、パン軸が垂直軸Ｚであり、チルト軸が水平軸Ｘである。
【００４２】
ヘッド１０は、以下により明確に説明するように、チルト軸Ｘと実質的に一致する実質的に水平な軸周りの相対的な回転が可能な、互いに接続された第一の本体１と第二の本体２を備えている。
【００４３】
ヘッド１０は、さらに、チルト軸Ｘに沿って延在し、第一の本体１と第二の本体２の両方が接続されたピン９を備え、つまり、第一の本体１は、ピン９に固定され、ピン９と一体であり、第二の本体２は、チルト軸Ｘに対して機器を方向付けするために、ピン９周りに回転可能である。
【００４４】
したがって、ピン９は、第一の本体１に対するかつチルト軸Ｘ周りの第二の本体２の回転軸を形成している。
【００４５】
ピン９の存在により、第一の本体１と第二の本体２は、パン軸Ｚ周りに相互に回転係合され、この軸に対する第一の本体１と第二の本体２の間の相対的な回転が防止される。
【００４６】
第一の本体１は、外表面１１’’によって囲まれ、それ自体は従来からあるスタンドに取り付けられることを意図した実質的にディスク形状のベース１１と、ベース１１から立ち上がり、ベース１１と同軸であり、ヘッド１０のパン軸Ｚを画定する方向付け本体１２と、を備えている。
【００４７】
ベース１１には、三脚１００にヘッド１０を固定すると同時に、第一の本体１が三脚１００に対してパン軸Ｚ周りに回転するように形成された固定手段３が設けられている。
【００４８】
第一の本体１がパン軸Ｚ周りに回転するとき、特に第二の本体２を含むヘッド１０の全部品は、以下により明確に説明されるように、ピン９によってこの回転に巻き込まれる。
【００４９】
図示の形態では、固定手段３は、ベース１１内にスライド可能に収納された円柱状ディスク３１と、ディスク３１内に形成され、ヘッド１のパン軸Ｚに沿って延在するねじ孔（図示せず）と、を備えている。このねじ孔は、機器を方向付けするために、三脚と一体的に固定するためのねじを収容することを意図している。
【００５０】
ディスク３１およびねじ孔が三脚１００と一体的であるため、それらに対してヘッド１０を回転することにより、ベース１１とディスク３１の間に相対的な回転が生じる。
【００５１】
ベース１１と三脚１００の間の満足な回転運動を保証するために、当分野ではそれ自体既知であり一般的に使用されている流体カートリッジ３３がベース１１とディスク３１の間に介在し、ディスク３１ひいては三脚１００に対するベース１１の回転を円滑にすることを意図している。
【００５２】
第一の本体１は、さらに、三脚１００に対する第一の本体１の回転の阻止や阻止解除のための既知の阻止装置３４を備えている。
【００５３】
阻止装置３４は、ベース１１上に取り付けられ、その外表面１１’から外方に突出し、パン軸Ｚに垂直かつ、図７により明確に見られるように、ベース１１に対するチルト軸Ｘの投影に対して傾いた回転軸Ｗ’周りに回転することができる、ノブの形態の制御部材３５を備えている。
【００５４】
言い換えれば、この回転軸Ｗ’は、パン軸Ｚに対して垂直なベース１１の平面Ｘ１Ｙ１内に存在する。
【００５５】
回転軸Ｗ’の平面Ｘ１Ｙ１へのチルト軸Ｘの投影として得られる線は、回転軸Ｗ’の方向に対して傾いており、この投影は、平面Ｘ１Ｙ１に対して垂直な方向に行われる。
【００５６】
有利には、制御ノブ３５は、回転軸Ｗ’がベース１１の平面Ｘ’Ｙ’へのチルト軸Ｘの投影に対して４５°と７０°の間の角度βで傾くように配置される。
【００５７】
制御ノブ３５の傾きにより、使用時および特に輸送時にヘッド１０が占有する空間を減少することができるようになり、以下により明確に説明するように、ヘッド１０をコンパクトな輸送形状にすることが可能になる。
【００５８】
ノブ３５は、三脚に対するパン軸Ｚ周りの第一の本体１の回転の防止や許可を行うための阻止装置３４の阻止や阻止解除を行うように回転するようにユーザによって作動されることを意図している。
【００５９】
方向付け本体１２は、軸がチルト軸と実質的に一致するように配置された実質的に円柱状の方向付け部１２Ａと、方向付け部１２Ａとベース１１の間に介在する支持部１２Ｂと、を備えている。
【００６０】
方向付け部１２Ａと支持部１２Ｂの間には連結部が設けられ、チルト軸に実質的に平行に延在する少なくとも一つの凹み１２Ｃを有している。
【００６１】
方向付け部１２Ａは、ベース１１によって平面図において占有される空間よりも、平面図すなわち一般の平面ＸＹにおいて占有する空間が少なく、支持部１２Ｂは、方向付け部１２Ａによって占有される空間よりも、平面図において占有する空間が少ない。
【００６２】
支持部１２Ｂは、ベース１１上の直径方向の反対側の位置に設けられた２つの別個の支持部１１Ａにてベース１１上に支持される。
【００６３】
ノブ３５は、ベース１１の２つの支持部１１Ａの間の中間位置に設けられている。
【００６４】
方向付け本体１２の凹み１２Ｃは、以下により明確に説明するように、コンパクトな輸送形態のヘッド１０の寸法をさらに減少するように、支持部１１Ａの一方と垂直軸Ｚに沿って実質的に整列している。
【００６５】
方向付け本体１２には、方向付け部１２Ａに形成された貫通孔が設けられ、この貫通孔には、第一の本体１をピン９に固定するように、ピン９が挿入されて固定されている。
【００６６】
ヘッド１０の第二の本体２は、ピン９に結合されるリングとして成形され、チルト軸周りに回転可能なように、軸がチルト軸と略一致するように配置された支持体２１を備え、支持体２１に固定されたスライダ５は、ヘッド１０上に撮影機器を取り外し可能に取り付けるためのプレート５５を受容して支持することを意図している。
【００６７】
ヘッド１は、さらに、方向付け部１２Ａおよび支持体２１だけでなくピン９にも固定される第一および第二の被覆要素１４、１５を備え、それらが第一および第二の被覆要素１４、１５の間に介在している。
【００６８】
したがって、支持体２１は、チルト軸Ｘ周りの第二の本体２の回転時に、支持体２１の両面が、方向付け部１２Ａおよび第二の被覆要素１５のディスク状の本体の対応する基底面上をスライドするように、方向付け部１２Ａと第二の被覆要素１５の間に介在している。
【００６９】
潜在的には、上述の面は、支持体２１の回転案内要素として機能するように互いに関連して成形されてもよい。さらに、有利には、方向付け部１２Ａ、支持体２１および被覆要素１４、１５は、チルト軸Ｘに対する回転を容易にするために、断面が円形である。
【００７０】
スライダ５は、長手軸Ｙに沿って前端５４Ａと前端５４Ａとは反対側の後端４５Ｂとの間に延在し、長手軸Ｙに沿って延在しかつ互いに向かい合う２つの対向案内壁５２、５３によって区分されたプレート５５用の結合座部５４を画定している。
【００７１】
デカルト座標系では、長手軸Ｙは、チルト軸Ｘとパン軸Ｚの両方に対して垂直である。
【００７２】
プレート５５は、それ自体既知であり、このプレート５５にはビデオ撮影機器を安定して結合するための結合ねじ５８が設けられ、結合座部５４内で変位されるように結合座部５４内を長手軸Ｙに沿ってスライド可能である。
【００７３】
スライダ５の２つの壁の一方の壁５２には、固定ノブ５１が設けられ、固定ノブ５１は、プレート５５の取り付けや取り外しを行うために結合座部５４の開閉を行うために作業者によって回転軸Ｘ’周りに回転させられることを意図している。
【００７４】
固定ノブ５１が回転するとき、ピン（図示せず）が動き、プレート５５の締結や解放を行うため、および結合座部５４におけるプレート５５のスライドの許可や防止を行うために、結合座部５４への挿入や結合座部５４からの引き抜きが行われる。
【００７５】
固定ノブ５１の回転軸Ｘ’は、有利には、チルト軸Ｘに対して平行である。
【００７６】
第二の本体２のスライダ５からはさらに接続突起２３が延出し、スライダ５から結合座部５４の後端５４Ｂの方へ延在し、所望の撮影を実行するためにヘッド１を方向付けするために第二の本体２にヘッド１０の制御要素を接続することを可能することを意図している。
【００７７】
図示の形態では、接続突起２３は、図６に示す専門用語ではパン棒として知られ、所望の撮影を行うためにヘッド１０を動かすために使用されることを意図した制御シャフト２５用の好ましくは歯付きの接続座部２４を画定している。
【００７８】
接続突起２３は、さらに、結合ねじ２６を備え、結合ねじ２６は、チルト軸Ｘおよび固定ノブ５１の回転軸Ｘ’に対して実質的に平行な軸Ｘ’’に沿って接続突起２３から延出し、制御シャフト２５の結合座部２４への阻止や阻止解除を行うために作動され得る。
【００７９】
軸Ｘ’’、チルト軸Ｘおよび回転軸Ｘ’が同一のレーン内にない場合、これらの軸の同一平面への投影は互いに平行である。
【００８０】
結合ねじ２６および固定ノブ５１は、好ましくは、チルト軸Ｘと長手軸Ｙの両方に対してスライダ５の反対側に設けられている。
【００８１】
固定ノブ５１は、有利には、結合座部５４の長手軸Ｙに対する第一の壁５２の中心部に設けられ、結合ねじ２６は、スライダ５の後端５４Ｂの近くかつ第二の壁５３に隣接して設けられている。
【００８２】
第二の本体２には、さらに、チルト軸Ｘに対して第二の本体２の回転の防止や許可を行うために作動することを意図した阻止装置６が設けられている。
【００８３】
阻止装置６は、方向付け本体１２上に取り付けられ、第一の本体１ひいては三脚１００に対するチルト軸Ｘ周りの第二の本体２の回転の防止や許可を行うための阻止装置６の阻止や阻止解除を行うためにユーザによって作動されることを意図したノブ６１形状の制御部材を備えている。
【００８４】
阻止ノブ６１は、方向付け本体１２から阻止軸Ｗに沿って第一の本体１のベース１１の方に延在し、阻止軸Ｗは、ヘッド１０が水平形態Ｍにあるときは、パン軸Ｚ、チルト軸Ｘおよび長手軸Ｙを横断するように配置されている。
【００８５】
特に、阻止軸Ｗは、パン軸Ｚに対して２０°と５０°の間の角度α、およびチルト軸Ｘに対して２０°と５０°の間の角度δで傾いている。
【００８６】
パン軸Ｚを含む平面ＸＹへの阻止軸Ｗの投影は、パン軸Ｚに対して傾いている。
【００８７】
チルト軸Ｘを含む平面ＹＺへの阻止軸Ｗの投影は、チルト軸Ｘに対して傾いている。
【００８８】
阻止ノブ６１の傾きにより、使用時および特に輸送時にヘッド１０によって占有される空間を減少することが可能になり、以下により明確に説明するように、ヘッド１０をコンパクトな輸送形状にすることが可能になる。
【００８９】
角度δは、３０°〜４５°の大きさであることがより好ましい。
【００９０】
有利には、角度αは、３０°〜４５°の大きさである。
【００９１】
チルト軸Ｘ周りの第一の本体１に対する第二の本体２の回転運動を最適化するために、有利には、第二の本体２と方向付け本体１２の間に流体カートリッジ２７が配置される。
【００９２】
本考案に係るヘッド１０では、ピン９と空洞３１の軸は、チルト軸Ｘとパン軸Ｚを夫々画定し、チルト軸Ｘとパン軸Ｚ周りにヘッド１０が方向付けされ、ピン９と空洞３１は、図４により明確に見られるように、チルト軸Ｘとパン軸Ｚが交差しないように配置されている。
【００９３】
有利には、ヘッド１０のチルト軸Ｘとパン軸Ｚは、少なくとも５ｍｍの最小距離Ｄに配置され、好ましくは、この距離Ｄは、５ｍｍと２０ｍｍの間である。
【００９４】
この形状は特に有利であり、以下により明確に説明するように、使用時と特に輸送形態の両方において本考案に係るヘッド１０をよりコンパクトにすることが可能になる。
【００９５】
この形状によって、さらに、チルト軸Ｘに対するヘッド１０の回転を延長することが可能になる。
【００９６】
距離Ｄの有効値は、ヘッド１０の寸法および形状に基づいて選択され、かつ、以下により明確に説明するように、ヘッドの単純かつ効率的な作動を可能にすると同時に、ヘッドをコンパクトな輸送形態にすることに基づいて選択される。
【００９７】
添付の図面に示す好適な形態では、パン軸Ｚおよびチルト軸Ｘは、パン軸Ｚが、チルト軸Ｘからスライダ５の後端５４Ｂの方へ変位されるように配置されている。言い換えれば、パン軸Ｚは、チルト軸Ｘに対してスライダ５の後端５４Ｂの方に配置された点でスライダ５の平面と交差する。
【００９８】
本考案によれば、本考案に係るヘッドにおいて、チルト軸Ｘとパン軸Ｚが交差せず、その代わりに互いに離間するように、上記の構成とは異なる構成が採用されてもよい。
【００９９】
動作時、ビデオ撮影機器は、プレート５５に、ひいては三脚１００上に取り付けられたヘッド１０に結合されている。
【０１００】
任意で、図６に示すように、水平面に対してスライダ５を水平にするためのレベリングモジュール８０が、ヘッド１０と三脚１００の間に挿入されてもよい。
【０１０１】
ヘッド１０は、このようにして、所望の動作形態、例えば、プレート５５とスライダ５が水平面ＸＹ内に配置され、機器のチルト軸Ｘが水平軸に対応し、長手軸Ｙがこの機器の光軸に対応し、パン軸Ｚが垂直軸に対応する図１〜４に示す動作中の水平形態Ｍになる。
【０１０２】
動作形態Ｍでは、スライダ５は、支持体２１と方向付け本体１２が理想的にはスライダ５とベース１１の間に介在するように、第一の本体１のベース１１とは反対側に配置されている。
【０１０３】
ビデオを撮影するために、ユーザは、機器を望み通りに回転させるために、例えば、パン棒２５を接続座部２４内に接続した後、パン棒２５を把持して動かしながら、ヘッド１を動かす。
【０１０４】
チルト軸Ｘ周りに機器を回転させるためにパン棒２５を動かすことにより、徐々にスライダ５を方向付け本体１２に横付けするように、ピン９周りの第二の本体２の回転、すなわち、ベース１１に向かうスライダ５の回転が生じる。
【０１０５】
パン棒２５が機器のレンズを下方に向けるように持ち上げられると、スライダ５は、図３における矢印Ｆ１の方向に回転し、第二の本体２は、スライダ５の後端５４Ａをベース１１の方に引き寄せて、着実にスライダ５を制御ノブ６１側で方向付け本体１２に横付けするように徐々に回転する。
【０１０６】
一方、パン棒２５が下げられ、スライダ５を図３における矢印Ｆ２の方向に回転させると、スライダ５の後端５４Ｂは、ベース１１の方に徐々に引き寄せられ、スライダ５は、制御ノブ６１とは反対の側で方向付け本体１２に徐々に横付けされる。
【０１０７】
パン軸とチルト軸のずらした配置とともに、本考案に係るヘッドの制御ノブ６１およびノブ３５の配置により、大きな角度にわたってヘッドを回転させることができ、およびヘッドによって占有される空間を減少することが可能になる。
【０１０８】
同時に、本考案に係るヘッド１０において、制御ノブ６１およびノブ３５はともに作業者が接触可能であり、作業者は、相対的な移動の許可や防止を行うために、それらのノブを容易に作動することができる。
【０１０９】
制御ノブ６１およびノブ３５の配置により、これらのノブは、ユーザによって同一の手を使って作動させることができ、他方の手は、パン棒２５を動かすために使用できる。
【０１１０】
制御ノブ６１およびノブ３５は、長手軸Ｙに関して同一の側に、かつ長手軸Ｙに関して結合ねじ２６ひいてはパン棒２５とは反対の側に配置される。
【０１１１】
機器の使用の最後に、ユーザは、要望に応じて、プレート５５から機器を取り外した後にヘッド１０を閉じることができる。
【０１１２】
これを行うため、ユーザは、続けて、任意でパン棒２５を用いて、図３において矢印Ｆ２の方向にスライダ５を回転させ、スライダ５の後端５４Ｂをベース１１の方へ引き寄せて、ヘッドを図６に示すコンパクトな輸送形態Ｎにするように徐々にスライダ５を制御ノブ６１とは反対の側で方向付け本体１２に横付けするように、第二の本体２を徐々に回転する。
【０１１３】
コンパクトな輸送形態Ｎでは、パン棒２５は、実質的に三脚１００の柱１０２に横付けしている。
【０１１４】
スライダ５は、ベース１１の壁、特に阻止ノブ６１とは反対の側に設けられたベース１１の支持部１１Ａと接触するまで回転させることができる。
【０１１５】
スライダ５と接触することを意図したベース１１の支持部１１Ａには張り出した要素が設けられず、その代わりに、上記のように、ノブ３５は、壁の支持部１１Ａに対してある角度離れた位置に配置されているため、スライダ５の回転を有意に妨げるものがない。
【０１１６】
さらに、ノブ３５が実質的に２つの支持部１１Ａの間に介在するため、スライダ５は、反対方向にも回転することができ、ノブ３５がスライダ５のその回転を妨げることはない。
【０１１７】
なお、輸送形態Ｎでは、阻止ノブ６１は、スライダ５とは反対の側に位置しており、したがって、スライダ５を方向付け本体１２に横付けする際の妨害物にはならない。
【０１１８】
したがって、第二の本体２は、図６により明確に見られるように、スライダ５が方向付け本体１２に実質的に横付けされるまで回転することができる。
【０１１９】
コンパクトな輸送形態Ｎでは、ビデオ撮影機器のレンズは上方を向いており、この機器の光軸は垂直軸と実質的に一致している。
【０１２０】
本考案に係るヘッドの形状により、この装置がコンパクトな輸送形態Ｎであっても撮影を実行することができる。
【０１２１】
実際、本考案に係るヘッドには、その作動または動きを妨げる物理的な障害物または妨害物が存在しない。
【０１２２】
輸送形態Ｎでは、ノブ３５と固定ノブ５１は、垂直軸に沿って略対応する位置に配置され、パン棒２５は、ヘッド１０の垂直軸に対して実質的に平行に延在する。
【０１２３】
上述のように、本考案に係るヘッド１０の構成により、使用時と特に輸送時の両方においてヘッド１０によって占有される空間を減少することが可能になり、特に、傘式の三脚の脚１０１によって占有される空間内に、任意でパン棒２５を備えたヘッド１０を収容することが可能になる。
【０１２４】
ヘッド１０を輸送形態Ｎにした後、ユーザは、続いて、ヘッド１０を三脚１００の脚１０１の間に収めるようにスパイダに向かって三脚１００の脚１０１を折り畳む。
【０１２５】
図５に示すこの位置では、脚はヘッド１０に横付けしており、ヘッドのノブ６１、３５、５１は、支持体の脚の間に画定された空間に収容されるように配置され、三脚１００を閉じる際の障害にならない。
【０１２６】
有利には、図５に見られるように、各ノブ６１、３５、５１は、三脚の２つの隣り合う脚の間に画定された関連する空間内に収容される。
【０１２７】
ノブ６１、３５、５１の配置および特にパン軸とチルト軸および長手軸に対して傾斜した阻止ノブ６１の配置により、阻止ノブ６１の寸法を過剰に小さくしなくても２つの隣り合う脚の間に阻止ノブ６１を挿入することが可能になる。
【０１２８】
したがって、ヘッド１０のノブ６１、３５、５１の容易な作動が維持される。
【０１２９】
本考案に係るヘッド１０によって占有される空間は、既知のヘッドと比較して、このヘッドを三脚上に残すことができ、三脚１００を輸送するためにヘッド１０を取り外す必要がないという程度まで減少される。
【０１３０】
レベリングモジュールが設けられる場合、レベリングモジュールも、脚１０１によって画定される空間内に容易に収容される。
【０１３１】
実際、この支持三脚は、脚１０１が実質的に互いに平行に配置され、ヘッド１０がこれらの脚１０１の間に画定される空間内に収容されるコンパクトな輸送形態にすることができる。
【０１３２】
三脚の脚１０１の間にはパン棒も収容することができ、パン棒をヘッド１０から取り外す必要がない。
【０１３３】
したがって、上述のように、三脚をコンパクトな輸送形態にする場合、本考案に係るヘッドを用いれば、この三脚１００からヘッドを取り外す必要がない。
【０１３４】
これにより、三脚１００の取り付けおよび取り外し作業が単純になり、特に、これらの作業がより速くかつより確実になる。
【０１３５】
さらに、コンパクトな輸送形態では、このヘッドは、脚によって占有される空間に挿入され、したがって、何らかの予想外の衝撃から保護される。
【０１３６】
したがって、本考案は、前記目的を達成する。
【図１】
0003215725.tif 000003
【図２】
0003215725.tif 000004
【図３】
0003215725.tif 000005
【図４】
0003215725.tif 000006
【図５】
0003215725.tif 000007
【図６】
0003215725.tif 000008
【図７】
0003215725.tif 000009
【手続補正書】
【提出日】平成30年2月8日(2018.2.8)
【手続補正１】
【補正対象書類名】実用新案登録請求の範囲
【補正対象項目名】全文
【補正方法】変更
【補正の内容】
【実用新案登録請求の範囲】
【請求項１】
光学機器またはビデオ撮影機器用の支持ヘッド（１０）であって、
前記機器用の支持体（１００）に固定する固定手段（３）が設けられ、第一の回転軸（Ｚ）周りに前記支持体（１００）に対する回転が可能な第一の本体（１）と、
前記第一の回転軸（Ｚ）に対して垂直な第二の回転軸（Ｘ）周りに前記機器の前記第一の本体（１）に対する回転が可能な、前記第一の本体（１）に接続された第二の本体（２）と、を備え、
前記第一の本体（１）と前記第二の本体（２）は、前記第一の回転軸（Ｚ）に関して一体的な回転のために互いに固定され、
前記第二の本体（２）には、前記第二の本体（２）に前記機器用の支持プレート（５５）を結合するスライダ（５）が設けられ、
前記第一の本体（１）の前記支持体（１００）に対する回転の阻止や阻止解除を行う制御ノブ（３５）が、前記第一の本体（１）のベース（１１）の外表面（１１’）から外方に突出し、前記第一の回転軸（Ｚ）に対して垂直かつ前記第二の回転軸（Ｘ）の投影に対して傾斜した回転軸（Ｗ’）周りに前記ベース（１１）上で回転可能であり、
前記第二の回転軸（Ｘ）周りに前記第二の本体（２）の前記第一の本体（１）に対する回転の防止や許可を行うために作動され得る阻止ノブ（６１）が、前記第一の回転軸（Ｚ）に対して、前記第二の回転軸（Ｘ）に対して、および前記第一および第二の回転軸（Ｚ、Ｘ）の両方に対して垂直な第三の軸に対しても斜めの阻止軸（Ｗ）に沿って前記第二の本体（２）から前記ベース（１１）の方へ延出し、
前記第二の回転軸（Ｘ）が、前記第一の回転軸（Ｚ）から、５ｍｍ以上の最小距離（Ｄ）で離される支持ヘッド（１０）。
【請求項２】
前記最小距離（Ｄ）が、５〜３０ｍｍの範囲内である、請求項１に記載の支持ヘッド。
【請求項３】
前記阻止軸（Ｗ）は、前記第二の回転軸（Ｘ）に対して２０°〜５０°の間の角度（δ）で傾いている、請求項１または２に記載の支持ヘッド。
【請求項４】
前記角度（δ）は、３０°〜４５°の間である、請求項３に記載の支持ヘッド。
【請求項５】
前記阻止軸（Ｗ）は、前記第一の回転軸（Ｚ）に対して２０°〜５０°の間の角度（α）で傾いている、請求項１に記載の支持ヘッド。
【請求項６】
前記角度（α）は、３０°〜４５°の間である、請求項５に記載の支持ヘッド。
【請求項７】
前記制御ノブ（３５）は、前記回転軸（Ｗ’）が前記第二の回転軸（Ｘ）の投影に対して４５°〜７０°の間の角度（β）で傾くように前記ベース（１１）に配置される、請求項１〜６の何れか１項に記載の支持ヘッド。
【請求項８】
前記スライダ（５）は、前記プレート（５５）用の結合座部（５４）を画定するように成形され、前記結合座部は、前記第三の軸（Ｙ）に沿って、第一の前端（５４Ａ）と、前記第一の前端（５４Ａ）とは長手方向の反対側の第二の後端（５４Ｂ）の間に延在する、請求項１〜７の何れか１項に記載の支持ヘッド。
【請求項９】
前記スライダ（５）には、前記結合座部（５４）の開閉を行うための作動軸（Ｘ’）周りに回転可能な固定ノブ（５１）と、前記固定ノブ（５１）の前記作動軸（Ｘ’）に対して実質的に平行な軸（Ｘ’’）に沿って延在する結合ねじ（２６）と、が設けられ、
前記固定ノブは、結合座部（５４）に対する前記支持ヘッド（１０）の制御棒（２５）のロックやロック解除を行うように作動可能であり、前記結合ねじ（２６）と前記固定ノブ（５１）は互いに、前記第二の回転軸（Ｘ）と前記第三の軸（Ｙ）の両方に対して前記スライダの反対側に設けられる、請求項８に記載の支持ヘッド。
【請求項１０】
前記第一の回転軸（Ｚ）は、前記第二の回転軸（Ｘ）から離され、前記第二の回転軸（Ｘ）よりも前記第二の後端（５４Ｂ）に近いように設定される、請求項８または９に記載の支持ヘッド。
【請求項１１】
前記第一の回転軸（Ｚ）および／または前記第二の回転軸（Ｘ）周りに前記支持ヘッド（１０）をロックするために前記第二の本体（２）に前記支持ヘッド（１０）の制御要素（２５）を接続する接続要素（２３、２４）をさらに備え、
前記第一の回転軸（Ｚ）は、前記第二の回転軸（Ｘ）と前記接続要素（２３、２４）の間に配置される、請求項１〜１０の何れか１項に記載の支持ヘッド。
【請求項１２】
ビデオ撮影機器用の支持三脚（１００）であって、
クロスブレース（ｃｒｏｓｓ−ｂｒａｃｅ）と、ビデオ撮影機器用の結合要素（２００）を設けた柱（１０２）と、前記支持三脚（１００）の開閉を行うためにヒンジ動作端の一方で前記クロスブレースに対してヒンジ結合された複数の脚（１０１）と、を備え、
各脚（１０１）は、前記柱（１０２）と略平行に配置されて前記柱が前記脚（１０１）の間に配置される閉じた形態（Ｎ’）と、前記脚（１０１）が前記柱（１０２）に対して傾いた少なくとも一つの動作形態と、の間を前記ヒンジ動作端周りに回転可能であり、
前記支持三脚は、ビデオ撮影機器用の支持ヘッド（１０）をさらに備え、前記支持ヘッドは、前記支持三脚が前記閉じた形態（Ｎ’）にあるとき、前記支持ヘッドが前記脚（１０１）の内側に収納され、前記脚（１０１）の平面図の寸法から突出しないように成形された支持三脚。
【請求項１３】
前記支持ヘッド（１０）は、前記柱（１０２）と実質的に平行に配置されたビデオ撮影機器用のスライダ（５）と、前記支持三脚の２つの脚（１０１）の間に配置される２つの別個の回転軸（Ｘ、Ｚ）に対する前記支持ヘッドの回転の許可や防止を行うための２つの制御要素（３５、６１）と、を備える、請求項１２に記載の支持三脚。
【請求項１４】
前記支持ヘッド（１０）は、前記支持ヘッド（１０）に結合され、前記脚（１０１）の内側の前記柱（１０２）と平行に配置される制御棒（２５）をさらに備える、請求項１３に記載の支持三脚。
【請求項１５】
前記クロスブレースと前記支持ヘッド（１０）の間に配置されたレベリングモジュール（８０）をさらに備える、請求項１２〜１４の何れか１項に記載の支持三脚。
【請求項１６】
請求項１〜１１の何れか１項に記載の支持ヘッドを備える、請求項１２〜１５の何れか１項に記載の支持三脚。